(57)【要約】   本発明は、防火装置を有するエレベータの乗り場ドア装置に関しており、ビル内で火災が発生しているときには、この防火装置が、ドアパネル（１１、１１’）の間のすき間を遮断することによって、炎や煙がエレベータの乗り場から昇降路（６０）に行き渡ることを防止するとともに、ビル内全体にわたってこれらが蔓延することを防止する。防火装置を有するエレベータの乗り場ドア装置は、開閉するドアパネル（１１、１１’）と、１枚のドアパネル（１１）のエレベータに面している側面（１１ａ）上に開閉エッジ面（１１ｂ）と平行に延びており、ドアパネルの開閉エッジの方向に下向きに傾斜したスロット（４２）を備え、かつ上記スロットを貫通する締結手段（４６）によって上記ドアパネルに固定された防火プレート（４０）と、上記締結手段によって、上記ドアパネル及び上記防火プレートとともに堅固に固定された可融性素材でできている固定具（４４）と、からなる。固定具（４４）は、ドアパネル（１１）と防火プレート（４０）との間もしくは、防火プレート（４０）と締結手段（４６）との間に配置され、またプラスチックや鉛でできている。
2007513034.tif 000002
【特許請求の範囲】
【請求項１】
開閉する２枚のドアパネル（１１、１１’）と、
１枚のドアパネル（１１）のエレベータに面している側面（１１ａ）上に開閉エッジ面（１１ｂ）と平行に延びており、上記ドアパネルの開閉エッジの方向に下向きに傾斜したスロット（４２）を備え、かつ上記スロットを貫通する締結手段（４６）によって上記ドアパネルに固定された防火プレート（４０）と、
上記締結手段によって、上記ドアパネル及び上記防火プレートとともに堅固に固定された可融性素材からなる固定具（４４）と、
からなることを特徴とする防火装置を有するエレベータの乗り場ドア装置。
【請求項２】
上記固定具（４４）は、１枚のドアパネル（１１）と上記防火プレート（４０）との間に配置されることを特徴とする請求項１に記載の防火装置を有するエレベータの乗り場ドア装置。
【請求項３】
上記固定具（４４）は、上記防火プレート（４０）と締結手段（４６）との間に配置されることを特徴とする請求項１に記載の防火装置を有するエレベータの乗り場ドア装置。
【請求項４】
上記固定具（４４）は、プラスチックからなることを特徴とする請求項１〜３のいずれかに記載の防火装置を有するエレベータの乗り場ドア装置。
【請求項５】
上記固定具（４４）は、鉛からなることを特徴とする請求項１〜３のいずれかに記載の防火装置を有するエレベータの乗り場ドア装置。
【発明の詳細な説明】
【技術分野】
【０００１】
本発明は、エレベータの乗り場ドアに関する。さらに具体的には、本発明は、炎や煙が乗り場ドアのパネルの間のすき間を通って昇降路に行き渡ることを防止する装置を有するエレベータの乗り場ドアに関する。
【背景技術】
【０００２】
一般的に、乗り場ドアは、ビル内の各フロアにおけるエレベータの乗り場に取り付けられるエレベータかごへの入口である。エレベータの乗り場ドアは通常、閉じており、乗り場側と昇降路側との間の開口部を遮断する。昇降路内をエレベータかごは昇降し、このかごが、あるフロアに到着すると、かごドアに備えられたインターロックによって乗り場ドアが開閉される。
【０００３】
図１、２は、従来のエレベータの乗り場ドアを示す背面図ならびに縦断面図であり、また図３は、従来のエレベータの乗り場ドアが、熱によって変形した状態を示す水平断面図である。図２においては、乗り場ドア１０の左側は乗り場５０であり、また右側は昇降路６０である。
【０００４】
ポケット１２が、エレベータの乗り場の入口における上部壁２０に形成されており、レール１４が、このポケット１２に取り付けられる。
【０００５】
ハンガ１６が、左右対称に配置された一対のドアパネル１１、１１’の上部に取り付けられ、レール１４によって案内されているハンガローラ１８が、このハンガ１６上に取り付けられる。ハンガローラ１８がレール１４に沿って回転すると、ドアパネル１１、１１’が左右両側にスライドして開閉する。
【０００６】
敷居３２は、エレベータの乗り場のフロア３０に取り付けられ、また上記敷居３２に設けられた案内溝３４に沿ってスライドするガイドシュー１９が、ドアパネル１１、１１’の底面に取り付けられる。
【発明の開示】
【発明が解決しようとする課題】
【０００７】
しかしながら、ビル内において従来のエレベータの乗り場ドアが、火災によって加熱されると、ドアパネル１１、１１’が変形し始めるとともに、最終的には図３に示すように、ドアパネル１１、１１’の間にすき間が開く。炎や煙は、このすき間を通って乗り場５０から昇降路６０に行き渡り、かつこの昇降路６０が煙突として機能する。これによって、炎や煙がビル内の他のフロアに蔓延し、さらに火災による損傷が拡大する。
【０００８】
本発明は、防火装置を有するエレベータの乗り場ドア装置を提供することによって、従来技術におけるこれらの問題を解決し、乗り場で火災が発生しているときには、この防火装置が、ドアパネルの間のすき間を遮断することによって、炎や煙が乗り場から昇降路に行き渡ることを防止するとともに、ビル内全体にわたってこれらが蔓延することを防止する。
【課題を解決するための手段】
【０００９】
上述の目的を達成するために、防火装置を有するエレベータの乗り場ドア装置は、開閉するドアパネルと、ドアパネルのエレベータに面している側面上に開閉エッジ面と平行に延びており、上記ドアパネルの開閉エッジの方向に下向きに傾斜したスロットを備え、かつ上記スロットを貫通する締結手段によって上記ドアパネルに固定された防火プレートと、上記締結手段によって、ドアパネル及び防火プレートとともに堅固に固定された可融性素材でできている固定具と、からなる。固定具は、ドアパネルと防火プレートとの間もしくは、防火プレートと締結手段との間に配置される。
【００１０】
好ましくは、固定具は、プラスチックや鉛でできている。
【発明を実施するための最良の形態】
【００１１】
次に、本発明における好ましい実施例を添付の図を参照して詳細に説明する。
【００１２】
図４ａ、４ｂは、本発明における防火装置の第１の実施例を有するエレベータの乗り場ドア装置を示す背面図及び断面図である。
【００１３】
図４ａ、４ｂに示すように、長方形の防火プレート４０が、エレベータの乗り場ドアにおける２枚のドアパネル１１、１１’のうちの１枚のドアパネル１１において、昇降路に面している背面部分１１ａ上に位置しており、また固定具４４が、ドアパネル１１の背面１１ａと防火プレート４０との間に配置されている。ドアパネル１１、固定具４４ならびに防火プレート４０は、所定の保持強度を有するリベット４６などの締結手段によって互いに固定される。
【００１４】
防火プレート４０は、隣接のドアパネル１１’に面しているドアパネル１１の開閉エッジ１１ｂに沿って、ドアパネル１１の高さとほぼ同一の長さになるように延びている。
【００１５】
また、防火プレート４０は、一つ或いは複数のスロット４２を備えており、リベット４６は、このプレート４０を貫通する。上記スロット４２は、ドアパネル１１の開閉エッジ１１ｂの方向に向かって所定の角度で下向きに傾斜しているとともに、所定の長さを有する。
【００１６】
通常の場合、リベット４６は、防火プレート４０における傾斜したスロット４２の最下部及び、固定具４４を貫通する。防火プレート４０、固定具４４ならびにドアパネル１１は、防火プレート４０が、ドアパネル１１の開閉エッジ１１ｂを越えて突出せず、また乗客の乗降を妨げないように、互いに固定されている。
【００１７】
上述の固定具４４は、プラスチックや鉛からなる可融性素材でできており、熱を加えることによって簡単に溶融する。
【００１８】
図５ａ、５ｂは、本発明における防火装置の第１の実施例の作動状態を示す背面図及び断面図である。本発明における防火装置の第１の実施例の動作及び効果を、これらの図を参照して説明する。
【００１９】
ビルで火災が発生し、ドアパネル１１、１１’に熱が作用し始めると、可融性固定具４４に熱が伝達して、この固定具４４が即座に融解する。これによって、ドアパネル１１の背面１１ａと防火プレート４０との間の保持強度が消滅する。その結果、防火プレート４０は、このプレート自体の重さによって、下向きに傾斜したスロット４２に沿ってドアパネル１１の開閉エッジ１１ｂへ向かって所定距離を移動する。このようにして、防火プレート４０が、リベット４６によってドアパネル１１から垂れ下がり、２枚のドアパネル１１、１１’の間のすき間を遮断することができる。これによって、炎や煙が、エレベータの乗り場からドアパネル１１、１１’の間のすき間を通って昇降路に行き渡ることを防止することができるとともに、ビル全体にわたってこれらが蔓延することを防止することができる。
【００２０】
図６は、本発明における防火装置の第２の実施例を有するエレベータの乗り場ドアを示す断面図である。固定具４４は、ドアパネル１１の背面１１ａと防火プレート４０との間ではなく、防火プレート４０とリベット４６の頂部との間に配置され、かつ同様の機能的な効果を、上述の第１の実施例で得られたように得ることができる。
【００２１】
本発明は、上述の実施例に限定されないが、当業者であれば、特許請求の範囲において本発明の趣旨から逸脱することなく種々の変更ができるだろう。
【００２２】
詳細に説明したように、本発明における防火装置を有するエレベータの乗り場ドアにおいて、ビルで火災が発生し、ドアパネルに熱が伝達すると、可融性素材でできている固定具が即座に融解する。これにより、防火プレートが一対のドアパネルの間のすき間を遮断するとともに、乗り場側の炎や煙が昇降路に行き渡ることを防止することができ、またビル内全体にわたってこれらが蔓延することを防止することができる。
【００２３】
また、本発明における防火装置は、火災発生時に必然的に生じる高温ならびに、防火プレート自体の重さによって、防火装置用の独立した駆動装置の必要なしに簡単に作動することができるので、防火プレートの取り付け構造は簡単であり、また取り付け費用も安価である。
【図面の簡単な説明】
【００２４】
【図１】従来のエレベータの乗り場ドアを示す背面図。
【図２】従来のエレベータの乗り場ドアを示す縦断面図。
【図３】従来のエレベータの乗り場ドアが、熱によって変形した状態を示す水平断面図。
【図４ａ】本発明における防火装置を備えたエレベータの乗り場ドアを示す背面図。
【図４ｂ】本発明における防火装置の第１の実施例を示す断面図。
【図５ａ】本発明における防火装置の第１の実施例の作動状態を示す背面図。
【図５ｂ】本発明における防火装置の第１の実施例の作動状態を示す断面図。
【図６】本発明における防火装置の第２の実施例を備えたエレベータの乗り場ドアを示す断面図。
【図１】
2007513034.tif 000003
【図２】
2007513034.tif 000004
【図３】
2007513034.tif 000005
【図４ａ】
2007513034.tif 000006
【図４ｂ】
2007513034.tif 000007
【図５ａ】
2007513034.tif 000008
【図５ｂ】
2007513034.tif 000009
【図６】
2007513034.tif 000010
【国際調査報告】
2007513034.tif 000011